(57)【要約】  【課題】本発明は、ろ過具を布製にすることにより、使い捨てを防ぎ、味のよい飲料をろ過できるようにした。  【解決手段】円形の底布２の周縁に側布３を縫合し、この側布３の上縁を外側へ折り返して縫合して針金挿通部４とし、針金挿通部４内に針金５を環状に挿通し、当該針金５の環状を外方へ広げるように付勢し、しかも針金５の重量は側布３を弛ませず、これにより側布３の弛みが防止される。これにより、側布３の上縁が弛んで、布製ろ過具の上方上面開口１１が閉じてしまって、コーヒー豆を入れるのに苦労したり、側布が弛んで、コーヒー豆がこぼれだしてしまったりすることがなくなる。  【選択図】図１
2006025811.tif 000002
【特許請求の範囲】
【請求項１】
コーヒーまたは茶をろ過できる布よりなり、この布でできたほぼ平坦でほぼ円形の底布と、
この底布の周縁に隙間無く接合されて、斜め上やや外方にほぼテーパー状に伸びる側布であって、この側布は隙間無く互いに接合され、これにより、上記底布と当該側布とで隙間の無い袋状とされ、
上記底布は直径が数センチメートル乃至数十センチメートルであり、
上記側布は高さが数センチメートル乃至数十センチメートルであり、
上記側布の上縁を外側へ折り返して、上縁を側布の外側面に縫合して形成された挿通部と、
この挿通部内を環状に挿通され、当該環状を外方へ広げるように付勢し、しかも上記側布を弛ませない重量で、上記側布の弛みを防ぐ針金とを備えたことを特徴とする布製ろ過具。
【請求項２】
上記挿通部の任意の一カ所または複数箇所には取り出し口が形成され、この取り出し口を通じて上記針金が挿入及び引き出しが可能となっていることを特徴とする請求項１記載の布製ろ過具。
【請求項３】
上記側布の上縁を外側に折り返して当該側布の外側に縫合し、当該縫合を一部省略することによって、上記挿通部の任意の一カ所または複数箇所には取り出し口が形成され、この取り出し口は下向きに開口していることを特徴とする請求項１または２記載の布製ろ過具。
【請求項４】
上記針金は一本または複数本であり、弾性的に変形し、複数の各針金のそれぞれの端は少しずつずれる用に配置され、この針金の両端は互いに重なり合っており、この重なり部分は上記取り出し口の位置からずれていることを特徴とする請求項１、２または３記載の布製ろ過具。
【発明の詳細な説明】
【技術分野】
【０００１】
本発明は、布製ろ過具に関し、特にコーヒーまたは茶をろ過するための布製のろ過具に関する。
【背景技術】
【０００２】
従来、このようなコーヒーまたは茶をろ過するものとしては、紙製フィルターがよく知られている。この紙製フィルターは、大型のものは、円形の紙の中央部分を円形の底面とし、この底面の周囲を折り曲げて襞状に起立させてテーパー状にしていた。このフィルターをろ過器の中へセットし、挽いたコーヒー豆を中へ入れて湯を注ぎ、煎出ろ過するようにしている。
【０００３】
しかしながら、このようなフィルターは、１回コーヒーをろ過したら捨てており、いわゆる使い捨てであり、無駄が多く資源の有効利用という点で大きな問題があった。
【０００４】
また、コーヒーをろ過するものには、図６に示すように、金魚すくいの形に似た布製のものもある。このろ過器は、針金の環に対し針金の握り部３１を連結し、環部３２に袋状の布部３３を縫い付けている。この布部は、複数の布を縫い合わせて立体的にふくらみをもたせ、布部の上面開口部を針金の環部３２に縫い付けていた。
【０００５】
しかしながら、このようなろ過器は、使い捨てではなく、資源の有効利用という点ではすぐれているが、握り部３１が付いていて、収納及び持ち運びに不便であるという問題があった。また、この針金の環部３２は弾性変形するものではなく塑性変形するため、上面開口部を外方へ付勢して広げることはできなかった。
【０００６】
最近は、上記使い捨ての便利さのためか、この布製のろ過器よりも上述の紙製フィルターの方が広く普及しているようである。このため、各家庭や喫茶店などには、上記紙製フィルターを設置するドリッパとよばれるコーヒー煎出容器が広く備えられている。
【０００７】
紙製フィルターの使用をやめて、布製ろ過器に切り換えると、フィルターの使い捨てはなくなるが、上記ドリッパとよばれるコーヒー煎出容器も無駄になってしまう問題が生じてしまう。
【０００８】
そこで、上記コーヒー煎出容器に上記布製ろ過器をセットして、コーヒーを煎出することも考慮された。しかし、これでは、布製ろ過器の布部３３をコーヒー煎出容器の内面にぴったりと差し込むことができず、しわが寄ってしまい、粉砕済のコーヒー豆を煎出に都合が良いように、ろ過器のいちばん底に入れることができない。また、たとえうまくコーヒー豆を入れることができたとしても、布製ろ過器の環部や握り部３１がじゃまになってしまい、作業上不都合が生じるし、場合によっては布製ろ過器が握り部３１の重みでコーヒー煎出容器から飛び出して脱落してしまうことさえある。
【特許文献１】実開平７−１２０２８公報
【特許文献２】特開平５−１７６８４４公報
【特許文献３】実開平９−５６５９８公報
【発明の開示】
【発明が解決しようとする課題】
【０００９】
本発明は、上述した課題を解決するためになされたものであり、本発明の目的は、使い捨てとならず、資源の有効利用をはかることができ、しかも、すでに広く普及しているコーヒー煎出容器をそのまま転用して、旧来の装置をそのまま有効に利用することのできる布製ろ過具を提供することである。
【課題を解決するための手段】
【００１０】
上記目的を達成するため、本発明の布製ろ過具は、コーヒーまたは茶をろ過できる布よりなり、この布でできたほぼ平坦でほぼ円形の底布と、  この底布の周縁に隙間無く接合されて、斜め上やや外方にほぼテーパー状に伸びる側布であって、この側布は隙間無く互いに接合され、これにより、上記底布と当該側布とで隙間の無い袋状とされ、  上記底布は直径が数センチメートル乃至数十センチメートルであり、  上記側布は高さが数センチメートル乃至数十センチメートルであり、  上記側布の上縁を外側へ折り返して、上縁を側布の外側面に縫合して形成された挿通部と、  この挿通部内を環状に挿通され、当該環状を外方へ広げるように付勢し、しかも上記側布を弛ませない重量で、上記側布の弛みを防ぐ針金とを備えた。
【発明の効果】
【００１１】
これにより、ろ過具を使い捨てにせず、資源の有効利用をはかることができ、しかも従来の紙製フィルター用の煎出容器をそのまま転用でき無駄がない等の効果を奏する。また、側布の上縁が弛んで、布製ろ過具の上面開口部が閉じてしまって、コーヒー豆を入れるのに苦労したり、側布３が弛んで、コーヒー豆がこぼれだしてしまったりすることがなくなる等の効果も奏する。
【発明を実施するための最良の形態】
【００１２】
（１）布製ろ過具１の構造
図１は布製ろ過具１を示す。布製ろ過具１の布は、起毛を有する双糸を綾織りした平坦な布であって、コーヒーまたは茶をろ過できるものである。双糸で綾織りするのは、目詰まりしにくく、洗っても縮まないためである。
【００１３】
しかし、他の種類の糸を使ってもよいし、平織、シュス織、編物等、他の種類の織り方であってもよい。布の糸の材質は綿８０％、ポリエステル２０％であるが、天然繊維、再生繊維、合成繊維またはこれらの混紡の糸等、これ以外の材質の糸であってもよい。
【００１４】
この布製ろ過具１の底布２及び側布３の布は、縦糸は単糸で番手が「１２乃至２０」例えば「１６」、１インチ当たり「４０本乃至６０本」例えば「５３．２６本」の密度で織られ、横糸は双糸で番手が「１６乃至２４」例えば「２０」であり、１インチ当たり「５０本乃至７０本」例えば「６０本」の密度で織られている。これらの縦糸及び横糸の材質は「綿１００％乃至６０％、ポリエステル０％乃至４０％」例えば「綿８０％、ポリエステル２０％」である。
【００１５】
布の起毛は布の表側のみ、つまり布製ろ過具１底布２及び側布３の内側にのみ形成されている。両面とも起毛がある布を用いても良い。この起毛により、粉砕したコーヒー豆をソフトに受け止めることができ、コーヒー豆の蒸らし作業のとき、コーヒー豆が膨らみ易くなり、コーヒーの味が味わい深くなり、こくが出て美味しくなるという利点がある。
【００１６】
この布製ろ過具１の底布２はほぼ平坦でほぼ円形で一枚の布であり、直径は数センチメートル乃至数十センチメートル、例えば１０乃至１１センチメートルである。むろん、多角形、方形、楕円形などの形でもよいし、複数枚の布が縫合されたものでもよい。この底布２の周縁には、帯扇型または湾曲した帯状の一枚布の側布３が隙間無く縫い合わせて接合されている。
【００１７】
この底布２と側布３との縫合では、底布２の外縁と側布３の下縁とが重なり合って外側に延出され、この外側に飛び出した重なり合いの部分に、外側からミシンで縁かがり縫い（地縫い、カラオーバ）が行われ、底部縁かがり縫合部１２が形成され、ろ過具用布２の縁が、底布２と側布３との縫合部分でほつれないようになる。
【００１８】
この側布３は、上記底布１から斜め上やや外方にほぼテーパー状に伸びており、高さが数センチメートル乃至数十センチメートル、例えば９乃至１０センチメートルである。この一枚の側布３の両端縁は互いに隙間無く縫い合わされて接合されて縫合ラインが形成され、これにより、上記底布２と当該側布３とで隙間の無い袋状とされる。
【００１９】
この側布３同士の縫合では、側布３の端縁同士が重なり合って外側に延出され、この外側に飛び出した重なり合いの部分に、外側からミシンで縁かがり縫い（地縫い、カラオーバ）が行われ、側部縁かがり縫合部６が形成され、ろ過具用布２の縁がほつれないようになる。この側布３同士の縫合は、上記底布２と側布３との縫合より先に行われる。
【００２０】
したがって、この布製ろ過具１はテーパー状／すり鉢状であり、上下反転させると、ちょうど円錐台形となる。この側布３の上縁の直径は十数センチメートル、例えば１７乃至１８センチメートルである。この側布３は方形状でもよく、この場合布製ろ過具１を上下反転させると、ちょうど円筒形となる。また、側布３は複数枚の布が縫合されたものでもよい。
【００２１】
上記側布３の上縁の約１センチメートル幅の部分は外側へ折り返されて、折り返し部８が形成され、この折り返し部８の上端縁１０は、縁かがり縫い（地縫い、カラオーバ）が施されて、上縁縁かがり部９が形成され、縁は解れないようになっている。
【００２２】
この折り返し部８の上縁縁かがり部９の上側（折り返す前なら下側）では、折り返し部８が側布３の外側面に縫い合わされて接合（縫合）され上縁縫合ライン１３が形成されている。この折り返し縫合によって、トンネル状の針金挿通部４が形成されている。この針金挿通部４内には、一本の針金５が環状に挿通されている。この上縁縫合ライン１３の縫合はミシンによる直線縫いである。
【００２３】
この針金５は、弾力性があって、通常は直線状にあり、容易に弾性変形できるようになっている。したがって、この針金５が針金挿通部４内を挿通するときは、環状に弾性変形されるため、側布３の上縁を外方へ広げ、上面開口１１を大きく広げるように付勢することになる。また、この針金５の全重量は軽く、上記側布３を弛ませない程度の重量となっている。
【００２４】
したがって、本布製ろ過具１の上面開口１１を外側へ向かって広げることができ、側布３の上縁が弛んで、布製ろ過具１の上面開口１１が閉じてしまって、コーヒー豆を入れるのに苦労したり、側布３が弛んで、コーヒー豆がこぼれだしてしまったりすることがなくなる。
【００２５】
（２）針金５
図３は針金５の断面構造を示す。この針金５は、図３に示すように、例えば素線径０．１乃至０．３ミリメートル例えば０．１６５ミリメートルの針金を７本ずつ束ねて螺旋状に捻り、これをさらに７束ずつ束ねて、螺旋状に捻って解れないようにしたワーヤー等が用いられる。むろん針金５は断面一本の金属針金または樹脂針金などから成っていてもよい。
【００２６】
金属製の針金５（ワイヤー）の材質は、ステンレス製、真鍮製、銅製、アルミ製、チタン製、タングステン製などの錆びにくい材質からなっている。ワイヤーの針金５は、両端が加熱されて細い金属糸が互いに溶着されている。これによりワイヤーの端が解れて側布３に穴を開けて破損させたり、指等に怪我を追ってしまったりする危険もなくなる。
【００２７】
具体的にはこの針金５は、太さ０．７５乃至３．０ミリメートル例えば約１．５ミリメートルであり、単位長さ（１メートル）当たりの重量が８乃至１１グラム例えば約８．９グラムであり、切断荷重は１５０乃至２５０キログラム例えば約１９０キログラムである。
【００２８】
この針金５の全長は５０乃至９０センチメートル例えば約６５センチメートルであり、上記重なり部分は５乃至４０センチメートル例えば１２．５センチメートルである。したがって、針金５の全重量は４乃至１０グラム、例えば４．５乃至８、一例で約５．８グラムである。
【００２９】
したがって、この針金５は側布３を弛ませないようになっている。したがって、この針金５は、側布３の弛みを防ぐ重量、弾性力、性質、特性、材質を兼ね備えている。この結果、側布３の上縁が弛んで、布製ろ過具１の上面開口１１が閉じてしまって、コーヒー豆を入れるのに苦労したり、側布３が弛んで、コーヒー豆がこぼれだしてしまったりすることがなくなる。
【００３０】
上記針金５の全長は、上記針金挿通部４の全長より長いため、針金５の両端は互いに重なり合っている。したがって、針金５の弾性付勢力によって針金５の両端が側布３の上縁を尖がるようにすることがなく、この尖った部分で側布３の針金挿通部４が破損したり破れてしまったりすることがなくなる。
【００３１】
また、上記針金挿通部４の一カ所には上記上縁縫合ライン１３が縫合されない箇所があり、この箇所に針金取り出し口７が形成され、この針金取り出し口７を通じて上記針金５の挿入及び引き出しが能となっている。この針金取り出し口７の位置は上記側布３の側部縁かがり縫合部６に近接している。この針金取り出し口７では上記上縁縫合ライン１３無く、上記上縁縁かがり部９は形成されている。場合によって、この取り出し口の上縁縁かがり部９もなくてもよい。
【００３２】
この針金取り出し口７では、上記側布３の折り返し部８の上端縁１０の側布３への縫合が一部省略され、これが針金取り出し口７となっている。このような針金取り出し口７によって、針金５を容易に引き出すことができるので、本布製ろ過具１をリサイクルしたり、くつ磨きまたは針山などの他の物品に転用したりする場合、破損した針金５を交換する場合でも不都合がない。
【００３３】
このような針金取り出し口７は、本布製ろ過具１の外側で下向きに口を開けているので、コーヒーの粉やお茶の葉が入ったりしない。したがって、針金５にコーヒーの粉やお茶の葉が付着せず、衛生的にもよい。このような針金取り出し口７を上端縁１０に沿って等間隔または任意の間隔で複数設ければ、たとえコーヒーの粉やお茶の葉が入っても容易に排出させることができ、衛生的にも優れている。この針金取り出し口７を１つにすればコーヒーの粉やお茶の葉が入る可能性は低くなる。
【００３４】
上記針金５の両端の重なり部分は、上記針金取り出し口７の位置からずれている。これにより、針金５が針金取り出し口７から飛び出すことがなく、安全である。針金５の両端の重なり部分が針金取り出し口７の位置に一致していると、針金５を引き出すのが容易になる。しかし、針金５の両端の重なり部分が針金取り出し口７の位置からずれていても、針金挿通部４をたぐり寄せて針金５の位置をずらしていけるので、やはり針金５を引き出すのは容易である。
【００３５】
上記針金５は、一本ではなく、複数本であってもよい。この場合、各針金５はそれぞれの端が少しずつずれる用に配置される。これにより、針金５の弾性付勢力によって針金５の両端が側布３の上縁を尖がるようにすることがなく、この尖った部分で側布３の針金挿通部４が破損したり破れてしまったりすることがなくなる。
【００３６】
上記針金５の両端は接合されていてもよい。この場合、針金５の両端がスポット電気溶接されたり、当該両端にフックが取り付けられ、これらのフックが接続されたりする。これにより、針金５の弾性付勢力によって針金５の両端が側布３の上縁を尖がるようにすることがなく、この尖った部分で側布３の針金挿通部４が破損したり破れてしまったりすることがなくなる。
【００３７】
この針金５を針金取り出し口７から引き出すには、上記フックの接続を解除したり、針金５の任意の箇所を切断したりする。針金５の両端を接合／接続しないで、重なりあうようにすれば、針金５を針金取り出し口７から取り出すのが容易になる。
【００３８】
布製ろ過具１は上述の縫合により袋状となり、従来のドリッパと呼ばれるコーヒー煎出容器内に差し込み、この中へコーヒーまたは茶をいれて湯を注げばよい。これにより、本発明の布製ろ過具１は、このまま従来の紙製フィルターのためのコーヒー煎出容器を有効に使うことができる。
【００３９】
また、紙製フィルターをこのコーヒー煎出容器にセットすると、フィルターの底面と側面との境目が破れてしまい、コーヒー豆の粒が漏れ出てしまうことがあったが、本発明の布製ろ過具１では、底布１と側布３とがしっかりと縫合されているので、上記のような不都合もなくなる。
【００４０】
本布製ろ過具１を袋などに収納して運送する場合には、針金５はそのままであまり変形させずに、針金挿通部４及び針金５の中に底布２を収容するように側布３を折り畳み、針金挿通部４及び針金５の中に底布２及び側布３を収容させる。これにより、平坦な形状となって運送に当たってかさばることがない。
【００４１】
（３）針金５の作用効果
図４及び図５は針金５の作用効果などを示す。上述のように、針金５は、弾力性があって通常は直線状にあり、針金挿通部４内を環状に弾性変形されるため、側布３の上縁を外方へ広げ、上面開口１１を大きく広げるように付勢することになる。このような付勢があると、図５に示すように、側布３の上縁が弛んで布製ろ過具１の中に倒れ込み、布製ろ過具１の上面開口１１が閉じてしまうことがなくなる。
【００４２】
本布製ろ過具１を上記テーパー状／すり鉢状ではなく円筒状にすれば、側布３は倒れにくくなる。側布３は斜め状態より起立状態の方が倒れにくいからである。しかし、本布製ろ過具１はテーパー状／すり鉢状にしなければならないため、側布３は斜め状態となってどうしても外側へ倒れやすい宿命を背負っている。側布３のどこか一カ所が倒れると、側布３の他の箇所はこれに引っ張られて起立してきたり、図５に示すように、反対側が内側に倒れ込んでしまったりすることになる。
【００４３】
しかし、側布３の上縁全周囲を針金５でほぼ均一に外方へ付勢すれば、このような側布３のどこか一カ所で倒れようとする力を他の箇所へ均一に分散させて側布３の一部が倒れるのを防ぐことができる。このように外方への付勢力をもつ針金５は、側布３が内側へ倒れるのを防ぐだけでなく外側へ倒れるのも防いでいる。
【００４４】
また、針金５が側布３の上縁を外方にほぼ均一に付勢しているので、側布３の上縁や針金挿通部４など引っ張られ、弛みが無くなり、皺がよらないようになる。そうすると、上記針金取り出し口７も左右に引っ張られ、その口は自然に直線状に閉じられることになる。
【００４５】
また、側布３の本体の傾斜より上縁折り返し部８の方の傾斜が大きくなるので、図４に示すように、針金取り出し口７付近で側布３が外側へやや折り曲げられるようになるので、針金取り出し口７が閉じられるようになる。この結果、針金取り出し口７からゴミが入ったり、コーヒーの粉やお茶の葉が入ってしまったりすることがなくなる。このことは上縁折り返し部８を側布３の内側に折り曲げ、側布３の内側に針金取り出し口７ヲ形成しても同様である。
【００４６】
（４）実験結果／効果
実験によれば、本発明の布製ろ過具１は従来の紙製フィルターに比べて以下のような利点が確認された。
（ａ）コーヒー、茶の味は単調な味に比べて味わい深くまろやかになった。
（ｂ）コーヒー飲料抽出に必要なコーヒー豆は約１０ｇに対し約８ｇと２割近く少なくできた。
【００４７】
（ｃ）抽出時の豆の状態は、時間がたつとコーヒー豆が粘土状に変化してしまうのに対し、よく攪拌され粘土状になることが少なくなった。
（ｄ）最適なコーヒー豆の挽き方（グラインド）は、中挽だけに対し中挽から粗挽まで広い範囲で対応できる。
（ｅ）コーヒー豆の膨らみ具合は小さいのに対し大きくでき、味を引き出すのに有利である。
【００４８】
（ｆ）使い捨てでなく、洗えば何回も繰り返し使うことができるので、ゴミの量が少なくなり、資源の有効利用に貢献できる。
（ｇ）使用して古くなってもくつ磨き、針山などに転用でき、無駄が全くない。
（ｈ）針金を容易に引き出すことができるのでリサイクル作業が容易である。
【００４９】
（５）他の実施の形態
本発明は、上記実施例に限定されず、種々変更可能である。例えば、上記針金取り出し口７は１つのではなく、複数であってもよい。この場合、針金挿通部４の外側に等間隔に針金取り出し口７が複数形成される。そして、この複数の針金取り出し口７それぞれから複数の同じ長さの針金５がそれぞれ差し込まれる。これにより、複数の針金５の各端を等間隔にずらしていくことができる。
【００５０】
さらに布製ろ過具１でろ過される飲料は、コーヒー、紅茶、日本茶、その他のお茶、果汁、ジュース、牛乳、酒などなんでもよい。  
【００５１】
また、上記針金取り出し口７は、針金挿通部４の下側に下向きに形成されるが、針金挿通部４の外側面に横向きに１つまたは複数形成されてもよい。このような横向き開口は、側布３の上縁の折り返しのうち、側部縁かがり縫合部６に沿った箇所を縫合しないようにして形成すればよく、開口を容易に製作することができる。
【００５２】
さらに、このような針金取り出し口７は針金挿通部４の上縁を一部切り取って、針金挿通部４の上に上向きに１つまたは複数形成されてもよい。上記針金挿通部４は、側布３上縁を内側に折り曲げて、側布３上縁の内側に形成されてもよい。この場合、針金取り出し口７は側布３の内側に形成されてもよい。針金取り出し口７は針金５を挿入／引き出しできればどのようなものでもよい。
【００５３】
また、上記側布３の上縁を外側へ折り曲げるのではなく、一枚又は複数枚の別の帯状の布、その他の帯シート材を側布３の外周上縁に沿って縫合して、針金挿通部４を形成してもよい。さらに、複数の短い蛇腹状かつストロー状の筒を側布３の外周上縁または内周上縁に沿って接着または縫合して、針金挿通部４を形成し、このストローの中に針金５を挿通させてもよい。この場合、各ストローの間の隙間が針金取り出し口７となる。
【００５４】
上記底布２及び側布３の素材は上記の布に限られず、コーヒーまたは茶を濾過できればどのような材質のものでもよい。底布２及び側布３は１枚の布ではなく、複数枚の布が積層または縫合されて繋ぎ合わされたものでもよい。
【００５５】
上記針金５は、直線状のものだけでなく、ニクロム線のように螺旋状／カールコード状になったもの、波状に上下または左右にふらついたもの、中心が中空のパイプ状のもの、金属針金の周囲を樹脂でコーティング合体した素材など、側布３上縁及び針金挿通部４を外方へ付勢できればどのようなものでもよい。
【００５６】
針金取り出し口７は無くてもよく、この場合針金５は針金挿通部４内に完全に密封されることになる。そして、針金５を交換または取り出し／挿入するときは、縁縫合ライン１３の一部をほどいて取り出し口を形成することになる。針金５は短くして、針金挿通部４の長さより短くしてもよい。
【００５７】
（４）他の発明の効果
［１］コーヒーまたは茶をろ過できる布よりなり、この布でできたほぼ平坦でほぼ円形の底布と、  この底布の周縁に隙間無く接合されて、斜め上やや外方にほぼテーパー状に伸びる側布であって、この側布は隙間無く互いに接合され、これにより、上記底布と当該側布とで隙間の無い袋状とされ、  上記底布は直径が数センチメートル乃至数十センチメートルであり、  上記側布は高さが数センチメートル乃至数十センチメートルであり、
上記側布の上縁を外側へ折り返して、上縁を側布の外側面に縫合して形成された挿通部と、  この挿通部内を環状に挿通され、当該環状を外方へ広げるように付勢し、しかも上記側布を弛ませない重量で、上記側布の弛みを防ぐ針金とを備えたことを特徴とする布製ろ過具。
【００５８】
これにより、側布の上縁を外方へ広げるように付勢し、この針金の全重量は軽く、側布を弛ませない程度の重量となっているので、側布の上縁が弛んで、布製ろ過具の上方上面開口が閉じてしまって、コーヒー豆を入れるのに苦労したり、側布が弛んで、コーヒー豆がこぼれだしてしまったりすることがなくなる。
【００５９】
［２］上記挿通部の任意の一カ所または複数箇所には取り出し口が形成され、この取り出し口を通じて上記針金が挿入及び引き出しが可能となっていることを特徴とする請求項１記載の布製ろ過具。これにより、破損したり古くなったりした針金を容易に交換することができるし、リサイクルにあたって、布部分と針金とを容易に分離できる。
【００６０】
［３］上記側布の上縁を外側に折り返して当該側布の外側に縫合し、当該縫合を一部省略することによって、上記挿通部の任意の一カ所または複数箇所には取り出し口が形成され、この取り出し口は下向きに開口していることを特徴とする請求項１または２記載の布製ろ過具。これにより、取り出し口よりコーヒー豆粉や茶葉が入り込んでしまうことがなくなる。また、針金の外方への付勢力によって取り出し口が直線上に閉じられるので、取り出し口よりコーヒー粉や茶葉が入り込んでしまうことがなくなる。
【００６１】
［４］上記針金は一本または複数本であり、弾性的に変形し、複数の各針金のそれぞれの端は少しずつずれる用に配置され、この針金の両端は互いに重なり合っており、この重なり部分は上記取り出し口の位置からずれていることを特徴とする請求項１、２または３記載の布製ろ過具。これにより、針金の両端が針金挿通部４内側の布を傷めてしまうことがなくなるし、取り出し口から針金が飛び出してしまうこともなくなる。また、針金の弾性付勢力によって針金の両端が側布の上縁を尖がるようにすることがなく、この尖った部分で側布の挿通部が破損したり破れてしまったりすることがなくなる。
【００６２】
［５］上記針金は一本または複数本であり、複数の各針金のそれぞれの端は少しずつずれる用に配置され、この針金の両端は接合されていることを特徴とする請求項１、２、３または４記載の布製ろ過具。これにより、針金の両端が針金挿通部４内側の布を傷めてしまうことがなくなるし、取り出し口から針金が飛び出してしまうこともなくなる。また、針金の弾性付勢力によって針金の両端が側布の上縁を尖がるようにすることがなく、この尖った部分で側布の挿通部が破損したり破れてしまったりすることがなくなる。
【００６３】
［６］上記針金は金属製、樹脂製若しくは複数の細い金属糸を寄り合わせたワイヤー、または両端が加熱されて細い金属糸が互いに溶着されているワイヤーであることを特徴とする請求項１、２、３、４または５記載の布製ろ過具。これにより、針金の両端がほつれて針金挿通部４内側の布を傷めてしまうことがなくなるし、解れた針金で怪我をすることもない。
【００６４】
［７］上記布製ろ過具は、起毛を有する双糸による綾織りによる布よりなり、この起毛は布片面にのみ形成され、この起毛面は布製ろ過具の底布の及び側布の内面に位置していることを特徴とする請求項１、２、３、４、５または６記載の布製ろ過具。これにより、コーヒー豆粉や茶葉が布に包まれるようになって、適正な濾過が可能となる。
【産業上の利用可能性】
【００６５】
本発明は、ろ過具を布製にすることにより、使い捨てを防ぎ、味のよい飲料をろ過できる。すなわち、円形の底布の周縁に側布を縫合し、この側布の上縁を外側へ折り返して縫合して挿通部とし、挿通部内に針金を環状に挿通し、当該針金の環状を外方へ広げるように付勢し、しかも針金の重量は側布を弛ませず、これにより側布の弛みが防止される。したがって、側布の上縁が弛んで、布製ろ過具の上方上面開口が閉じてしまって、コーヒー豆を入れるのに苦労したり、側布が弛んで、コーヒー豆がこぼれだしてしまったりすることがなくなる。
【図面の簡単な説明】
【００６６】
【図１】布製ろ過具１を示す。
【図２】布製ろ過具１の針金５を示す。
【図３】針金５の拡大断面を示す。
【図４】針金取り出し口７付近の部分拡大断面を示す。
【図５】針金５がないときの側布３の弛み／皺／倒れ込みを示す。
【図６】従来のろ過布を示す図である。
【符号の説明】
【００６７】
１…布製ろ過具、２…底布、３…側布、
４…針金挿通部、５…針金、
６…側部縁かがり縫合部、７…針金取り出し口、
８…上縁折り返し部、９…上縁縁かがり部、
１０…上端縁、１１…上面開口、
１２…底部縁かがり縫合部、１３…上縁縫合ライン、
３１…握り部、３２…環部、３３…布部３３。
【図１】
2006025811.tif 000003
【図２】
2006025811.tif 000004
【図３】
2006025811.tif 000005
【図４】
2006025811.tif 000006
【図５】
2006025811.tif 000007
【図６】
2006025811.tif 000008